(57)【特許請求の範囲】
【請求項１】
軸方向に沿って形成される管路の一部に、管路を拡径形成した拡径部を設け、その拡径部の周壁に軸周りの少なくとも半周部分が開口する開口部を形成してなる管体と、  前記開口部を介して前記拡径部に収容される逆止弁ユニットと、  前記管体に装着され、前記管体の側面を軸方向に沿ってスライドして前記開口部を閉塞可能なスライド管とを備える逆止弁保持装置であって、 前記管体の拡径部の端部には前記逆止弁ユニットのＯリングを配設した端部が嵌入する環状壁が形成されており、該環状壁に逆止弁ユニットを嵌入装着した状態で生じる拡径部の隙間に環状スペーサを配置し、 前記管体の側面には、前記開口部を挟んで軸方向に一対のＯリングを配置し、前記スライド管の内面が前記一対のＯリングに接触して前記拡径部を密閉することを特徴とする逆止弁保持装置。
【請求項２】
前記スライド管の側面には貫通孔を形成すると共に、その貫通孔に対して着脱可能な栓を設けたことを特徴とする請求項１記載の逆止弁保持装置。
【発明の詳細な説明】
【技術分野】
【０００１】
本発明は、配管途中において逆止弁を保持する逆止弁保持装置に関し、特に逆止弁を交換可能に取り付けるための構造に関するものである。
【背景技術】
【０００２】
給水配管において水の逆流を防止することが重要視されるようになってきたため、例えば逆流防止機能を具備していない既設給水配管に対して新たに逆止弁ユニットを取り付けることが行われている。また、予め逆止弁ユニットが取り付けられている給水配管であっても、経年変化等によって逆止弁の逆流防止機能が低下するため、一定期間毎に逆止弁ユニットのメンテナンスや交換作業を行うことが必要である。
【０００３】
ところが、従来の配管に対する逆止弁ユニットの取付構造は、配管の一次側に固定される一次側固定管と二次側に固定される二次側固定管とを互いに接合させた状態で固定し、その接合部の内側に逆止弁ユニットを収容した状態で封止する構造である。そのため、この配管から逆止弁ユニットを取り出すためには、一次側固定管と二次側固定管の接合部を分離することが必要となり、固定管が接続された周辺配管を解体しなければならないという問題があった。
【０００４】
またそのような問題を避けるため、従来、配管の一次側と二次側の間に作業者の手が入る程度の内部空間を形成し、この内部空間から二次側流路への流出口に逆止弁ユニットを取り付けた構造のものが存在する。この場合、通常の使用状態において前記内部空間は複数本のボルトで固定されるカバー部材によって密閉されており、逆止弁ユニットのメンテナンス時にはカバー部材を外し、作業者が前記内部空間に手を挿入して逆止弁ユニットを取り外すことができるので、周辺配管を解体せずに作業することができる。
【０００５】
しかしながら、この場合でも、逆止弁ユニットを取り出す際には複数本のボルトを外してカバー部材を取り除かなければならないので作業性が悪く、しかも逆止弁ユニットの取付構造が配管に対して著しく大型化するので十分なスペースを確保できない場合には上述の構造体を配管途中に設けることができないという問題がある。
【０００６】
また従来、水道配管に設けられるメータユニットにおいて、量水器の一次側若しくは二次側に、逆止弁ユニットを内蔵した逆流防止装置を連結したものが使用されているが、このメータユニットでは量水器を取り外さなければ逆流防止装置から逆止弁ユニットを取り外すことができないという問題があった。
【発明の開示】
【発明が解決しようとする課題】
【０００７】
本発明は、上記従来の問題点を解決することを目的としてなされたものであり、周辺配管の解体することなく、逆止弁ユニットの配管への取り付け及び配管からの取り出しを容易に行うことができると共に、その設置に広いスペースを必要とせず、しかもメータユニットに取り付ける場合であっても逆止弁ユニットのメンテナンス時に量水器の取り外しを必要としない逆止弁保持装置を提供するものである。
【課題を解決するための手段】
【０００８】
上記目的を達成するため、本発明に係る逆止弁保持装置が解決手段として採用したところは、軸方向に沿って形成される管路の一部に、管路を拡径形成した拡径部を設け、その拡径部の周壁に軸周りの少なくとも半周部分が開口する開口部を形成してなる管体と、前記開口部を介して前記拡径部に収容される逆止弁ユニットと、前記管体に装着され、前記管体の側面を軸方向に沿ってスライドして前記開口部を閉塞可能なスライド管とを備える構成とした点にある。これにより、管体の両端部に配管を接続した状態のままでスライド管をスライドさせれば、開口部が開放されて拡径部に保持された逆止弁ユニットの取り出しが可能となる。また、管体にメータユニットが接続されている場合であっても同様であり、量水器を取り外すことなく、スライド管をスライドさせれば、開口部が開放されて拡径部に保持された逆止弁ユニットの取り出しが可能となる。
【０００９】
また管体の側面には、前記開口部を挟んで軸方向に一対のＯリングを配置し、前記スライド管の内面が前記一対のＯリングに接触して前記拡径部を密閉する構成とすることにより、管体とスライド管の隙間からの液漏れ等を防止できるようになる。
【００１０】
また拡径部の端部には逆止弁ユニットの端部が嵌入する環状壁を形成し、その環状壁に逆止弁ユニットを嵌入装着した状態で生じる拡径部の隙間に環状スペーサを配置した構成とすることにより、拡径部に収容した逆止弁ユニットの軸方向の移動が禁止でき、逆止弁ユニットを固定しておくことができる。
【００１１】
更にスライド管の側面には貫通孔を形成すると共に、その貫通孔に対して着脱可能に栓を設けた構成とすることにより、その栓を貫通孔から抜けば管体内部を減圧できるようになる。特に拡径部に設けられた逆止弁ユニットを取り出す際に、予め二次側圧力を大気圧と等圧にしておくことができる。
【発明の効果】
【００１２】
本発明に係る逆止弁保持装置によれば、管体の両端を配管にそれぞれ固定した状態のままで、管体の内部への逆止弁ユニットの着脱が可能であるので、周辺配管を解体することなく、逆止弁ユニットの取り付け及び取り出しを容易に行うことができる。このような逆止弁保持装置は、配管途中に設置する際、広いスペースを必要しないので、比較的狭いスペースであっても設置することができるという利点がある。更に、この装置をメータユニットに適用する場合には、量水器を取り外すことなく逆止弁ユニットを取り出すことができ、作業効率が向上する。
【発明を実施するための最良の形態】
【００１３】
以下、図面に基づいて本発明の好ましい実施形態を詳述する。図１及び図２は、本実施形態における逆止弁保持装置１の一構成例を示す図であり、一部断面を示している。また図１は逆止弁保持装置１の内部に逆止弁ユニット５を収容した状態を示しており、図２は逆止弁保持装置１から逆止弁ユニット５を取り出した状態を示している。尚、逆止弁保持装置１に装着された逆止弁ユニット５は、図１において左から右方向への液流を通過させる一方、その逆流の通過は禁止する。
【００１４】
この逆止弁保持装置１は、配管の軸方向に沿って配置される管体２を有し、その管体２の内側には軸方向に沿って管路３が形成されると共に、管体２の胴部２ａの内側には管路３の一部を拡径形成した拡径部４が形成される。この拡径部４は、逆止弁ユニット５の外形に適合するように形成されており、逆止弁ユニット５を収容する収容空間となる。逆止弁ユニット５は逆止弁５１を内蔵した円筒体であり、図２に示すように逆止弁５１を環状の枠体５２によって支持しており、その枠体５２の外周側面にＯリング５３を配設した構成である。
【００１５】
そして管体２における胴部２ａの側面には拡径部４を開放して逆止弁ユニット５の着脱を可能とする開口部６が形成されている。この開口部６は、管体２の胴部２ａにおいて拡径部４を囲む周壁を、軸周りの少なくとも半周部分を開口して形成したものであり、その軸方向の長さは逆止弁ユニット５の軸方向の寸法よりも若干長く形成される。そのため、この開口部６を介して逆止弁ユニット５を拡径部４に装着でき、また逆に拡径部４に装着された逆止弁ユニット５を開口部６から取り出すことができる。
【００１６】
一方、拡径部４の軸方向の長さは開口部６よりも長く形成されており、拡径部４の少なくとも軸方向一端側には逆止弁ユニット５の枠体５２とほぼ同径の環状壁４１が形成される。そして環状壁４１の内側に対して逆止弁ユニット５の枠体５２が嵌入装着される。このとき、枠体５２の外周側面に設けられたＯリング５３が環状壁４１に接触し、逆止弁ユニット５の外側を流体が通過することを防止する。
【００１７】
ここで、拡径部４の一端部に設けられた環状壁４１に逆止弁ユニット５を装着すると、拡径部４の他方の端部には隙間が生じることになる。そのため本実施形態ではこの隙間を埋めるために環状スペーサ２０が使用され、この隙間に配置される。この環状スペーサ２０は逆止弁ユニット５の軸方向への移動を禁止するものであり、逆止弁ユニット５を拡径部４の環状壁４１に嵌着した状態で固定する。この環状スペーサ２０も開口部６を介して拡径部４の隙間に挿入される。このように本実施形態では拡径部４に逆止弁ユニット５と環状スペーサ２０が収容され、それぞれ拡径部４の端面に当接して軸方向への移動が禁止された状態で、管体２の胴部内側に固定される。
【００１８】
また管体２には、胴部２ａの側面に、開口部６を挟んで一対のＯリング７，８が環装されている。そして管体２の胴部外周側面には、軸方向に沿ってスライドするスライド管１０が設けられており、このスライド管１０が管体２の胴部２ａを覆うときには、スライド管１０が開口部６を閉塞すると共に、スライド管１０の内壁がＯリング７，８と接触し、拡径部４を密閉する。そのため、管体２とスライド管１０の隙間からの液漏れ等を防止できる。その一方、スライド管１０が軸方向にスライドして管体２の胴部２ａから退避したときには、開口部６が開放され、逆止弁ユニット５の拡径部４への装着や、拡径部４からの取り出しが可能な状態となる。
【００１９】
スライド管１０の端部内周面には雌ねじ部１１が設けられると共に、管体２の胴部外周側面にはこの雌ねじ部１１と結合する雄ねじ部９が設けられる。そしてスライド管１０が胴部２ａを覆うときには、それら雄ねじ部９と雌ねじ部１１を互いに結合させて締着することにより、拡径部４を密閉した状態でスライド管１０を管体２に固定できる構造である。またスライド管１０の側面には内部の圧力、特に拡径部４に設けられた逆止弁ユニット５の二次側圧力を抜くための貫通孔１２が形成されており、この貫通孔１２には着脱可能な栓１３が設けられる。
【００２０】
尚、管体２の軸方向の両端部には配管若しくはメータユニットを連結するための連結機構３１，３２が設けられており、逆止弁保持装置１はそれら連結機構３１，３２によって配管途中の任意の位置に固定される。
【００２１】
次に上記の構造を有する逆止弁保持装置１に対して逆止弁ユニット５を着脱する際の手順について説明する。まず、逆止弁ユニット５を逆止弁保持装置１に取り付ける際には、図２に示す如く、スライド管１０を軸方向に沿ってスライドさせ、胴部２ａから退避させた状態とし、開口部６を開放する。尚、スライド管１０の貫通孔１２には予め栓１３を取り付けておいてもよい。そして開放された開口部６から逆止弁ユニット５を拡径部４に挿入し、その逆止弁ユニット５を環状壁４１の内側に押し込む。これにより、逆止弁ユニット５が嵌着される。そして拡径部４の隙間に環状スペーサ２０を挿入した後、スライド管１０をスライドさせて管体２の胴部２ａを覆う状態とし、雄ねじ部９と雌ねじ部１１を互いに結合させてスライド管１０を締着固定する。これにより、逆止弁保持装置１は図１に示される状態となり、拡径部４に逆止弁ユニット５が固定された状態で取り付けられる。
【００２２】
次に逆止弁ユニット５を逆止弁保持装置１から取り外す際には、まずスライド管１０の貫通孔１２に設けられた栓１３を取り外し、逆止弁ユニット５の二次側圧力を減圧して大気圧と等圧な状態にする。これにより、その後の作業が進めやすくなる。そして管体２とスライド管１０の締着状態を緩め、スライド管１０を軸方向に沿ってスライドさせて胴部２ａから退避させた状態とし、開口部６を開放する。そして開放された開口部６から先に環状スペーサ２０を取り出す。続いて、環状スペーサ２０が取り除かれた拡径部４の隙間部分に逆止弁ユニット５を引き出し、環状壁４１に嵌入した状態を解除する。そして開口部６から逆止弁ユニット５を取り出す。これにより、逆止弁保持装置１は図２に示される状態となり、装置内部から逆止弁ユニット５が取り出される。
【００２３】
以上のように逆止弁保持装置１は、管体２の胴部側面に設けられた開口部６を介して管路３を拡径形成した拡径部４への逆止弁ユニット５の取り付け及び取り出しを行えるものであり、しかも管体２には胴部側面を軸方向に沿ってスライドして開口部６を閉塞可能なスライド管１０を装着してあるので、このスライド管１０が胴部２ａを覆うときにはスライド管１０が開口部６を塞いで管内を密閉する一方、スライド管１０が胴部２ａから退避するときには開口部６を開放して逆止弁ユニット５の取り付け若しくは取り出しを行える。そのため、管体２の両端部に設けられる連結機構３１，３２に対して配管が接続されている場合であっても、それら周辺の配管を解体することなく、配管を接続した状態のままで、逆止弁ユニット５の取り付けや取り出しができる構成となっている。したがって、逆止弁ユニット５のメンテナンス時に、配管途中から簡単に逆止弁ユニット５を取り出すことができ、交換作業等も効率的に行うことができるのである。
【００２４】
またこの逆止弁保持装置１は、その設置に広いスペースを必要としないので、比較的狭いスペースであっても設置することができるという利点がある。更に、この逆止弁保持装置１をメータユニットに適用した場合には、量水器を取り外すことなく逆止弁ユニットを取り出すことができ、作業効率が向上する。
【図面の簡単な説明】
【００２５】
【図１】逆止弁保持装置の構成例を示す一部断面図であり、管体内部の拡径部に逆止弁ユニットを収容した状態を示している。
【図２】逆止弁保持装置の構成例を示す一部断面図であり、拡径部から逆止弁ユニットを取り出した状態を示している。
【符号の説明】
【００２６】
１  逆止弁保持装置
２  管体
３  管路
４  拡径部
５  逆止弁ユニット
６  開口部
７，８  Ｏリング
１０  スライド管
１２  孔
１３  栓
２０  環状スペーサ
４１  環状壁
【図１】
0004755465.tif 000002
【図２】
0004755465.tif 000003